(57)【要約】【課題】インモールド成形品の外観を向上させつつ、多彩な製品デザインに対応できるようにすること。【解決手段】本発明は、インモールド樹脂成形部３とこの表面を加飾する樹脂フィルムのインモールドラベル２とを一体に成形してなるインモールド成形品に係る。そして、インモールドラベル２のエッジ１１に対して任意の距離隔てた所から該エッジ１１までの色が樹脂成形部３の色と同系色に見えるように透明にされている。【選択図】図７
2012232503.tif 000002
【特許請求の範囲】
【請求項１】
樹脂成形部とこの表面に一体化された加飾用の樹脂フィルムのラベルとを含むインモールド成形品であって、
前記ラベルのエッジに対して任意の距離隔てた所から該エッジまでの色が前記樹脂成形部の色と同系色に見えるように前記ラベルで加飾されていることを特徴とするインモールド成形品。
【請求項２】
請求項１に記載のインモールド成形品において、
前記ラベルのエッジに対して任意の距離隔てた所から該エッジまでの色が透明にされていることを特徴とするインモールド成形品。
【請求項３】
請求項２に記載のインモールド成形品において、
前記ラベルのエッジに対して任意の距離隔てた所から該エッジにかけて前記ラベルの加飾に用いた色彩が徐々に透明になるようにグラデーションが付いているとともに、前記樹脂成形部の色が前記ラベルの加飾に用いた色と同じにされていることを特徴とするインモールド成形品。
【請求項４】
請求項１に記載のインモールド成形品において、
前記樹脂成形部の色と前記ラベルの加飾に用いた色とが異なっており、前記ラベルのエッジに対して任意の距離隔てた所から該エッジへと及ぶ色彩は、該ラベルの加飾に用いた色から徐々に前記樹脂成形部の色と同系色になるようなグラデーションにされていることを特徴とするインモールド成形品。
【請求項５】
請求項１ないし４のいずれか１項に記載のインモールド成形品が外装ケースに使用された携帯端末装置。
【請求項６】
インモールドラベル工法を用いて表面に加飾用の樹脂フィルムのラベルが貼着された樹脂成形部からなるインモールド成形品における加飾方法であって、
前記ラベルのエッジに対して任意の距離隔てた所から該エッジまでの色が前記樹脂成形部の色と同系色に見えるように前記ラベルで加飾することを特徴とするインモールド成形品における加飾方法。
【請求項７】
請求項６に記載のインモールド成形品における加飾方法において、
前記ラベルのエッジに対して任意の距離隔てた所から該エッジまでの色を透明にすることを特徴とするインモールド成形品における加飾方法。
【請求項８】
請求項７に記載のインモールド成形品における加飾方法において、
前記ラベルのエッジに対して任意の距離隔てた所から該エッジにかけて前記ラベルの加飾に用いた色彩が徐々に透明になるようにグラデーションを付けるとともに、前記樹脂成形部の色を前記ラベルの加飾に用いた色と同じにすることを特徴とするインモールド成形品における加飾方法。
【請求項９】
請求項６に記載のインモールド成形品における加飾方法において、
前記樹脂成形部の色と前記ラベルの加飾に用いた色とを異ならせ、前記ラベルのエッジに対して任意の距離隔てた所から該エッジへと及ぶ色彩を、該ラベルの加飾に用いた色から徐々に前記樹脂成形部の色と同系色になるようなグラデーションにすることを特徴とするインモールド成形品における加飾方法。
【発明の詳細な説明】
【技術分野】
【０００１】
本発明は、インモールドラベル工法を用いて表面が加飾されたインモールド成形品、該インモールド成形品が使用された携帯端末装置、および該インモールド成形品における加飾方法に関する。
【背景技術】
【０００２】
携帯電話などの携帯端末装置において、近年、ユーザーからは高品質でバリエーション豊かなデザインが求められている。これを満たす加飾工法として、文様の付いたラベルを樹脂成形体に貼着する方法が知られている。中でも、樹脂フィルムからなるラベルと成形用樹脂との一体成形によって表面が加飾された樹脂製品を製造するインモールド成形が知られている。
【０００３】
この方法は、樹脂製のキャリアフィルムに作成されたラベル部分、あるいはプリフォームされた樹脂フィルム製のラベルを金型の内壁に対して配置しておき、ポリカーボネート樹脂、ポリエチレン樹脂やポリプロピレン樹脂などの成形用樹脂を溶融して金型内に直接供給し、金型内で樹脂の賦形に併せて溶融樹脂にラベルを貼着するものである（例えば、特許文献１、特許文献２参照）。
【０００４】
またこの様な金型内で貼着するラベルをインモールドラベル（IML：In-Mold Label）もしくはインモールドフィルム（IMF：In-Mold Film）と呼んでいる。
【先行技術文献】
【特許文献】
【０００５】
【特許文献１】特開昭５８−０６９０１５号公報
【特許文献２】特開平０１−１２５２２５号公報
【発明の概要】
【発明が解決しようとする課題】
【０００６】
現状のインモールドラベル工法では、インモールド樹脂成形部の色とインモールドラベルの加飾の色との相違により、両者の境界線や、両者の位置ずれ及び隔たり（ギャップ）がはっきりと製品の外観に現れることがある点が懸念されていた。
【０００７】
この点について図を基に詳述する。図１は現状のインモールドラベル工法で成形したインモールド成形品が使用された一例である樹脂ケースを示す平面図、図２は図１の樹脂ケースを下面側から見た分解図である。図３は図１のＹ−Ｙ断面図、図４は、図１のＹ−Ｙ断面であって図３のインモールド成形品のみを示した断面図である。
【０００８】
インモールドラベル工法ではインモールドラベル２とインモールド樹脂成形部３の端どうしを一致させることは困難であるため、両者の位置ずれを許容する必要がある。この位置ずれにより、図１及び図２に示すように、インモールドラベル２とインモールド樹脂成形部３の端どうしの間に隔たり（ギャップ）６が発生する。その結果、インモールド樹脂成形部３の色とインモールドラベル２の加飾の色との相違により、両者の境界が認識しやすくなって外観品質へ影響を与えていた。
【０００９】
これを踏まえてインモールド樹脂成形部３の色とインモールドラベル２の加飾の色とを同系色にしても、上記した位置ずれが製品毎に又は一製品の複数個所でばらつく為にこのようなばらつきが吸収できず、境界をぼかすことは難しかった。また、外観の表現の連続性といった面でも課題があった。
【００１０】
そこで、図３に示すように、インモールド成形品１とで樹脂ケースを構成する樹脂成形カバー４にオーバーラップ部７を設け、これをインモールド樹脂成形部３のエッジ１０およびインモールドラベル２のエッジ１１にオーバーラップさせることで、上記した隔たり（ギャップ）６を隠し、外観へ露出させない方法が検討された。
【００１１】
しかしながら、このような解決策は、製品のデザインが制約されたり幅などの製品サイズが増えたりするなど、製品への影響が大きかった。
【００１２】
そこで本発明の目的の一つは、インモールド成形品の外観を向上させつつ、多彩な製品デザインに対応できるようにすることにある。
【課題を解決するための手段】
【００１３】
本発明の態様の一つは、樹脂成形部とこの表面に一体化された加飾用の樹脂フィルムのラベルとを含むインモールド成形品に係るものである。この態様のインモールド成形品は、ラベルのエッジに対して任意の距離隔てた所から該エッジまでの色が樹脂成形部の色と同系色に見えるようにラベルで加飾されていることを特徴とする。
【００１４】
さらに他の態様は、インモールドラベル工法を用いて表面に加飾用の樹脂フィルムのラベルが貼着された樹脂成形部からなるインモールド成形品における加飾方法に係る。この加飾方法は、ラベルのエッジに対して任意の距離隔てた所から該エッジまでの色が樹脂成形部の色と同系色に見えるようにラベルで加飾することを特徴とする。
【発明の効果】
【００１５】
本発明によれば、インモールド成形品の外観を向上させつつ、多彩な製品デザインに対応することが可能となる。
【図面の簡単な説明】
【００１６】
【図１】現状のインモールドラベル工法で成形したインモールド成形品が使用された一例である樹脂ケースを示す平面図。
【図２】図１の樹脂ケースを下面側から見た分解図。
【図３】図１のＹ−Ｙ断面図。
【図４】図１のＹ−Ｙ断面であって図３のインモールド成形品のみを示した断面図。
【図５】図１と同様の樹脂ケースに本発明を適用したインモールド成形品を示す平面図。
【図６】図５のインモールド成形品を下面側から見た図。
【図７】図５のインモールド成形品をインモールド樹脂成形部とインモールドラベルとに分解して示した分解図。
【発明を実施するための形態】
【００１７】
以下、本発明の実施の形態について図面を参照して説明する。
【００１８】
図５は図１と同様の樹脂ケースに本発明を適用したインモールド成形品を示す平面図、図６は図５のインモールド成形品を下面側から見た図、図７は図５のインモールド成形品をインモールド樹脂成形部とインモールドラベルとに仮想的に分解して示した分解図である。なお、課題の欄で説明した現状のインモールド成形品１の構成要素と同一のものには同一符号を付してある。
【００１９】
図５または図６で示す本実施形態のインモールド成形品１は、図７に示すようなインモールドラベル２とインモールド樹脂成形部３とがインモールドラベル工法によって一体成形されたものである。
【００２０】
本発明に係るインモールドラベル２では、図７に示すように、該ラベルの加飾部８に用いた色が、該ラベルのエッジ１１に対して任意の距離隔てた所から該エッジ１１まで透明にされている。これにより、図６のようにインモールド成形品１が製造された際、インモールド樹脂成形部３の樹脂色が該ラベルのエッジ１１の外で見え始めるのではなく、該ラベルの透明な領域からインモールド樹脂成形部３の樹脂色が透けて見える。つまり、該ラベルのエッジ１１に対して任意の距離隔てた所から該エッジ１１までの色がインモールド樹脂成形部３の色と同系色に見えるようにされている。
【００２１】
そのため、インモールドラベル２とインモールド樹脂成形部３との境界１２がどこかを識別しにくくなり、インモールドラベル２とインモールド樹脂成形部３の端部どうしの位置ずれや隔たり（ギャップ）６が発生していてもその存在をぼかすことができる。また、上記の位置ずれや隔たり（ギャップ）６は製品毎または一製品の複数個所にてばらついて発生するが、このばらつきも目立たなくすることができる。
【００２２】
特に、図７に示すように、加飾部８の色彩がラベルのエッジ１１にかけて徐々に透明になるようにグラデーション９が付いていて、インモールド樹脂成形部３の樹脂色はインモールドラベル２の加飾部８の色と合わせてあることが望ましい。これにより、インモールド樹脂成形部３の色が、インモールドラベル２のエッジ１１に近づくにつれて徐々に該ラベルから透けて見えてくるため、境界１２がいっそう分かり難くなり、上記した位置ずれや隔たり（ギャップ）６の存在を認識できなくすることができる。
【００２３】
また上記の例に替えて、インモールドラベル２の加飾部８の色をインモールド樹脂成形部３の樹脂色と異ならせることにより、製品表面に対して新しい表現で加飾することも可能になる。その際、エッジ１１に対して任意の距離隔てた所から該エッジ１１へと及ぶ色彩は、該ラベルの加飾部８に用いた色から徐々にインモールド樹脂成形部３の樹脂色と同系色になるようなグラデーションにされる。これにより、インモールドラベル２の加飾部８の色とインモールド樹脂成形部３の樹脂色が相違していても、上記した境界１２、位置ずれや隔たり（ギャップ）６の存在を認識しにくくすることが可能になり、製品の端辺にかけて加飾の連続性を保つことができる。
【００２４】
以上のように本実施形態によれば、現状のインモールド成形品に比べ、インモールドラベル２のエッジ１１とインモールド樹脂成形部３との境界１２を認識し難くしたことにより、製品の端辺にかけて加飾の連続性を保つことが可能である。さらに、製品毎又は一製品の複数個所における、インモールドラベル２とインモールド樹脂成形部３の端部どうしの位置ずれやギャップ６のばらつきも目立たなくすることができる。さらに、図３のようなオーバーラップ部材を用意しなくても、境界１２、位置ずれや隔たり（ギャップ）６の存在を認識し難くできるため、多彩な製品デザインに容易に対応することができる。
【００２５】
なお、上記した各実施形態のインモールド成形品１を適用するものとしては携帯電話、ゲーム機、タブレットＰＣ、ノートＰＣなどの携帯端末装置の外装ケースが挙げられる。
【００２６】
次に、上述したインモールドラベル２の加飾部８におけるグラデーション９の形成方法について述べる。
【００２７】
インモールドラベル２は金型内で、インモールド樹脂成形部３となる成形樹脂の表面に一体成形によって貼着される。そのため、複数のラベル部が形成された樹脂製のキャリアフィルムの該ラベル部の一つを、あるいはプリフォームされた一つの樹脂フィルム製のラベルを金型の内壁に対して配置し、成形用樹脂を溶融して該金型内に直接供給することにより、該金型内での樹脂の賦形に併せて溶融樹脂に該ラベルが固着される。このラベルがインモールドラベル２であり、このラベルが固着された樹脂部がインモールド樹脂成形部３である。
【００２８】
グラデーション９は、上記のような成形前のラベルのときに形成される。該グラデーションの形成方法としては、印刷工法だけではなく、塗装や、いったん加飾しレーザーなどでインクや塗料を飛ばす工法も考えられる。また、レーザーでインクや塗料だけではなくラベル自体に細かい穴を開けて、グラデーションを表現する方法、すなわちラベルの加飾部８からエッジ１１にかけて細かい穴の数を増やしていく方法も考えられる。
【００２９】
以上に本発明の実施形態を説明したが、本願発明は、図示した形態に限らず、本願発明の思想を逸脱しない範囲で如何なる変更も含む。
【符号の説明】
【００３０】
１    インモールド成形品
２    インモールドラベル
３    インモールド成形樹脂部
４    樹脂成形カバー
６    隔たり（ギャップ）
７    オーバーラップ部
８    加飾部
９    グラデーション
１０    インモールド成形樹脂部のエッジ
１１    インモールドラベルのエッジ
１２    境界
【図３】
2012232503.tif 000003
【図４】
2012232503.tif 000004
【図１】
2012232503.tif 000005
【図２】
2012232503.tif 000006
【図５】
2012232503.tif 000007
【図６】
2012232503.tif 000008
【図７】
2012232503.tif 000009